(57)【要約】【課題】  カード型デバイス用スロットを具備する電子機器の展示中に、不審者により、該カードが抜き取られ、あるいは不正なカードが挿入され、機器が不正に使用されることを防止する手段を提供する。【解決手段】  カード型デバイス用スロット１の挿入口の少なくとも一部を覆う位置でロック板３の移動を拘止する手段を具備する。操作用ノブ４と一体に形成したロック板３を機器筐体に配設した貫通孔５を貫通する螺子７により螺着し、または、施錠装置により、ロック板３を機器筐体に係止し、ロック板３の移動を拘止し、カード型デバイス用スロット１の挿入口から機器内部に挿入されたカードの抜き取り盗難や不正なカードの使用による被害を防止する。【選択図】  図１
2006005687.tif 000002
【特許請求の範囲】
【請求項１】
機器筐体面にカード型デバイス用スロットを具備する電子機器において、前記スロットのカード型デバイス挿入口の少なくとも一部を覆う位置に出入りするロック板を具備したことを特徴とする電子機器。
【請求項２】
請求項１に記載の電子機器において、前記ロック板がカード型デバイス挿入口の少なくとも一部を覆う位置でロック板、及び該電子機器の筐体を螺子により、係止したことを特徴とする電子機器。
【請求項３】
請求項１に記載の電子機器において、前記ロック板がカード型デバイス挿入口の少なくとも一部を覆う位置でロック板、及び該電子機器の筐体を施錠装置により、係止したことを特徴とする電子機器。
【請求項４】
機器筐体面にカード型デバイス用スロットを具備する薄型画像表示装置において、前記スロットは該スロットを通じ機器内に挿入されたカード型デバイスの面が、画像表示デバイスの画像表示面と平行となるように配置され、前記スロットのカード型デバイス挿入口の少なくとも一部を覆う位置に出入りするロック板を具備したことを特徴とする薄型画像表示装置。
【請求項５】
請求項４に記載の薄型画像表示装置において、前記ロック板がカード型デバイス挿入口の少なくとも一部を覆う位置でロック板、及び該薄型画像表示装置の筐体を螺子により、係止したことを特徴とする薄型画像表示装置。
【請求項６】
請求項４に記載の薄型画像表示装置において、前記ロック板がカード型デバイス挿入口の少なくとも一部を覆う位置でロック板、及び該薄型画像表示装置の筐体を施錠装置により、係止したことを特徴とする薄型画像表示装置。
【請求項７】
請求項４乃至６のいずれかに記載の薄型画像表示装置において、前記ロック板の移動方向が、画像表示デバイスの画像表示面と平行となるよう、前記ロック板を配置したことを特徴とする薄型画像表示装置。
【発明の詳細な説明】
【技術分野】
【０００１】
本発明は、磁気カードや半導体記憶素子組み込みカードなどのカード型デバイス用スロットを有する電子機器、及び薄型画像表示装置の展示中に、該カードの抜き取り盗難被害や、盗難カード、及び不正なカードの挿入による不正な放送番組視聴などの犯罪被害を未然に防止するとともに、小型軽量機器などの展示中の盗難防止をも目的とする防犯技術に関する発明である。
【背景技術】
【０００２】
放送の送受信システムへのデジタル化技術の導入に伴い、視聴者による放送番組情報の不正な複製や改変の防止による著作権保護、及び双方向サービス利用や有料放送視聴の許諾などの目的で、特定の視聴者と放送事業者による受信契約に基づく視聴権を認証する手段として、視聴者毎に設定された固有情報を記憶させたカードを受信機のスロットに挿入するシステムが広く適用されている。
【０００３】
前記の機能を具備する機器を展示中に、前記カードの抜き取り盗難被害や、盗難カード、及び不正なカードの使用による不正な放送番組視聴などの犯罪被害が発生しており、該カード盗難被害の防止手段として、特許文献「特開平１０−１７１５５２」に見られるごとく、カードを所定位置に保持するためのロック機構を施錠装置により拘止する発明が、考案されている。
【特許文献１】特開平１０−１７１５５２  「ポートリプリケータ」
【発明の開示】
【発明が解決しようとする課題】
【０００４】
本発明は、カード型デバイス用スロットを具備する電子機器の展示中に、不審者により、該スロットからカードが抜き取られ、あるいは該スロットに不正なカードが挿入され、機器が不正に使用されることを防止する手段を提供するとともに、小型軽量機器などの展示中の盗難防止をも目的とする発明である。
【課題を解決するための手段】
【０００５】
本発明においては、機器筐体面にカード型デバイス用スロットを具備する電子機器において、前記スロットのカード型デバイス挿入口の少なくとも一部を覆う位置に出入りするロック板を具備したことを特徴とする。
また、本発明においては、本発明に記載の電子機器において、前記ロック板がカード型デバイス挿入口の少なくとも一部を覆う位置でロック板、及び該電子機器の筐体を螺子により、係止したことを特徴とする。
また、本発明においては、本発明に記載の電子機器において、前記ロック板がカード型デバイス挿入口の少なくとも一部を覆う位置でロック板、及び該電子機器の筐体を施錠装置により、係止したことを特徴とする。
これにより、機器内部に挿入されたカードの抜き取り盗難や不正なカードの使用による被害を防止することが可能となる。
更に本発明においては、機器筐体面にカード型デバイス用スロットを具備する薄型画像表示装置において、前記スロットは該スロットを通じ機器内に挿入されたカード型デバイスの面が、画像表示デバイスの画像表示面と平行となるように配置され、前記スロットのカード型デバイス挿入口の少なくとも一部を覆う位置に出入りするロック板を具備したことを特徴とする。
【０００６】
また、本発明においては、本発明に記載の薄型画像表示装置において、前記ロック板がカード型デバイス挿入口の少なくとも一部を覆う位置でロック板、及び該薄型画像表示装置の筐体を螺子により、係止したことを特徴とする。
また、本発明においては、本発明に記載の薄型画像表示装置において、前記ロック板がカード型デバイス挿入口の少なくとも一部を覆う位置でロック板、及び該薄型画像表示装置の筐体を施錠装置により、係止したことを特徴とする。
さらに本発明においては、本発明に記載の薄型画像表示装置において、前記ロック板の移動方向が、画像表示デバイスの画像表示面と平行となるよう、前記ロック板を配置したことを特徴とする。
これにより、機器内部に挿入されたカードの抜き取り盗難や不正なカードの使用による被害を防止するとともに、カードの面が画像表示デバイスの画像表示面と平行となるようにカード型デバイス用スロット配置し、前記ロック板の移動方向が画像表示面に平行となるように配置することにより、表示装置の薄型化を実現可能とする。さらに、小型軽量機器などの展示中の盗難防止をも可能となる発明である。
【発明の効果】
【０００７】
本発明によれば、磁気カードや半導体記憶素子組み込みカードなどのカード型デバイス用スロットを有する電子機器の展示中に、該カードの抜き取り盗難被害や、盗難カード、及び不正なカードの使用による不正な放送番組視聴などの犯罪被害を未然防止することが可能となり、特に、日本国内向けの地上波デジタル放送のテレビ受信機用Ｂ−ＣＡＳ（BS-Conditional Access System）カードに適用し、有効である。
【０００８】
機器内に保持されたカードを取り出すには、カードを機器内に保持するロック板がロック状態から解除状態に移動することを禁止するために、該ロック板を機器筐体に係止する螺子を抜去するか、または、施錠装置（以下、実施例では、米国のケンジントンロック社により開発されたケンジントンロックにて説明）を解錠した後に、ロック板と一体に形成した操作用ノブにより、ロック板を解除状態に移動する手順を必要とする。前記操作がロック解除手順の構成要素となることにより、機器展示環境での不正行為を抑止することが可能となる。
【０００９】
さらに、カードの面が画像表示デバイスの画像表示面と平行となるようにカード型デバイス用スロット配置し、前記ロック板の移動方向が画像表示面に平行となるように配置することにより、表示装置の薄型化を実現可能とするとともに、小型軽量機器などの展示中の盗難防止をも可能となる発明である。
【発明を実施するための最良の形態】
【００１０】
本発明の実施の形態として、以下に図とともに説明する。
図１は、本発明の第１の実施例である薄型画像表示装置の側面を示す斜視図である。図１において、１はカード型デバイス用スロット、２はカード型デバイス用スロットに使用するカード、３はロック板、４はロック板３と一体に形成した操作用ノブである。薄型画像表示装置においては、機器筐体８の薄型化を実現するため、カード型デバイス用スロット１に、図中の矢印Ａに沿って挿入するカード２の面が、画像表示デバイスの画像表示面９と平行となるよう、機器筐体面にカード型デバイス用スロット１を配置している。カード型デバイス用スロット１を通じ、挿入されたカード２を所定位置に保持し、ロックするため、機器筐体８の内部に点線で示すロック板３を配設している。薄型画像表示装置の薄型化を実現するため、ロック板３は上下方向に移動するよう配設している。カード２を機器内部の所定位置にロック、または、ロック解除をするためにロック板３と一体に形成した操作用ノブ４を配設している。
【００１１】
図２、図３はカード型デバイス用スロット１部分の拡大図で、図２では、カード型デバイス用スロット１、機器筐体内部に挿入されたカード２、カード２を機器内部の所定位置にロックするためのロック板３、ロック板３を上下方向に移動させ、ロック、または、ロック解除をするためにロック板３と一体に形成した操作用ノブ４など、本発明の第１の実施例を構成する主要部分を示す。螺子７は、機器筐体８に設けた螺子貫通孔５を通じ、ロック板３に設けたロック板螺子孔６に螺着し、ロック板３、及びロック板３と一体に形成した操作用ノブ４の移動を拘止する事により、機器内部の所定位置に保持され、ロック状態にあるカード２が、ロック解除されることを禁止する。
【００１２】
図３は、図２中の切断線Ｃ−Ｃに沿って切断した縦断面図であり、図２と図３とともに、本発明の第１の実施例の動作に関し詳細説明をする。
ここで、ロック板３、及びロック板３と一体に形成した操作用ノブ４のロック解除位置を鎖線で示しそれぞれの符号を、ロック板３ａ、操作用ノブ４ａとして説明する。機器筐体８に設けられたカード型デバイス用スロット１を通じ、機器筐体内の所定位置にカード２を挿入する場合は、ロック板３ａ、及びロック板３ａと一体に形成した操作用ノブ４ａは、図３中に鎖線で示すごとく上方に押し上げられ、カード型デバイス用スロット１は解放状態となる。この状態で、カード２は機器筐体８の内部に挿入することが可能となる。
【００１３】
カード２が機器筐体内に挿入されると、図３中に実線で示すロック板３、及びロック板３と一体に形成した操作用ノブ４は、下方に押し下げられ、ロック板３の下端の一部が機器筐体８の内部のカード２、及びカード型デバイス用スロット１の間隙に入り込み、カード２の取り出し経路を塞ぐことにより、カード２はロック状態となり、カード２がカード型デバイス用スロット１を通じ外部へ引き抜かれることが、禁止される。この状態で、図３中の矢印Ｂで示すごとく、機器筐体８に設けられた螺子貫通孔５を通じ、螺子７をロック板螺子孔６に螺着させることによりロック板３は機器筐体８と係止され、上方への移動が禁止され、ロック解除を不能とする。
【００１４】
次に、本発明の実施例２として図４、図５とともに説明する。
本発明の実施例１においては、前記のとおり、ロック板３を機器筐体８に拘止する手段として、螺子７を適用したが、本発明の実施例２では、図４の斜視図に示すごとく、ケンジントンロック１７を施錠装置として適用している。図５は、図４の切断線Ｅ−Ｅに沿って、切断した縦断面図である。図４、及び図５は共に、カード２を機器筐体８の内部の所定位置に挿入後に、操作用ノブ４と一体に形成されたロック板３と共に下方に押し下げ、機器筐体８の内部に挿入済みのカード２が、カード型デバイス用スロット１を通じ、機器筐体８の外部に引き抜かれる事を禁止した状態を示している。
【００１５】
図５に示すごとく、ケンジントンロック１７には、鋼線１７ｂの一端が固着され、他端は展示台などの堅固な構築物に固定されている。円筒形状のケンジントンロック１７の一端には、円筒軸の回りに回動自在の横断面長方形のロックキー１７ａを具備している。ケンジントンロック１７の先端のロックキー１７ａを図５中の矢印Ｄに示すごとく、機器筐体８の外表面に設けた孔形状が長方形の機器筐体貫通孔１５を貫通させ、さらに、孔形状が長方形のロック板貫通孔１６を貫通させた後、ロックキー１７ａを９０度回転させることにより、ロック板３、及び機器筐体８が係止され、ロックが解除されることを禁止する。
【００１６】
このように、本発明においては、機器内に保持されたカードを取り出すには、カードを機器内に保持するロック板がロック状態から解除状態に移動することを禁止するために、該ロック板を機器筐体に係止する螺子を抜去するか、または、施錠装置を解錠した後に、ロック板と一体に形成した操作用ノブにより、ロック板を解除状態に移動する手順を必要とすし、前記操作がロック解除手順の構成要素となることにより、機器展示環境での不正行為を抑止することが可能となるとともに、カードの面が画像表示デバイスの画像表示面と平行となるようにカード型デバイス用スロット配置し、前記ロック板の移動方向が画像表示面に平行となるように配置することにより、表示装置の薄型化を実現可能とする。さらに、小型軽量機器などの展示中の盗難防止をも可能となる発明である。
【産業上の利用可能性】
【００１７】
本発明は、放送番組の視聴認証用カードに限定せず、番組内容の記録用の半導体記憶素子を内蔵するカード型記憶デバイス、磁気カード、その他のカードデバイス、及びカード型デバイス用スロットを具備する電子機器に適用可能である。
【図面の簡単な説明】
【００１８】
【図１】薄型画像表示装置における実施例を示す斜視図である。
【図２】本発明の第１の実施例を構成する主要部分を示す斜視図である。
【図３】図２中の切断線Ｃ−Ｃに沿って切断した縦断面図である。
【図４】本発明の第２の実施例を構成する主要部分を示す斜視図である。
【図５】図４中の切断線Ｅ−Ｅに沿って切断した縦断面図である。
【符号の説明】
【００１９】
１：カード型デバイス用スロット
２：カード
３：ロック板
３ａ：ロック板（ロック解除状態）
４：操作用ノブ
４ａ：操作用ノブ（ロック解除状態）
５：螺子貫通孔
６：ロック板螺子孔 
７：螺子
８：機器筐体 
９：画像表示デバイスの画像表示面
１５：機器筐体貫通孔
１６：ロック板貫通孔
１７：ケンジントンロック
１７ａ：ロックキー
１７ｂ：鋼線
【図１】
2006005687.tif 000003
【図２】
2006005687.tif 000004
【図３】
2006005687.tif 000005
【図４】
2006005687.tif 000006
【図５】
2006005687.tif 000007